(57)【要約】    本発明は、ケーシングに形成された洗濯物投入口とタブに形成された開口部とを連結する通路を形成するガスケットボディと、前記ガスケットボディの内周面に備えられて、ドラム内に水を噴射する複数のノズルを備えるガスケットと、前記ポンプにより圧送された水を前記複数のノズルに供給する分配管とを備え、前記分配管は、前記ガスケットボディの外周面に配置される移送管路を備え、前記ガスケットボディは、前記ケーシング側に位置するボディ前方部と、前記タブ側に位置し、前記移送管路が配置されるボディ後方部とに区分され、前記ボディ後方部は、前記移送管路の少なくとも一部分が配置される収容部を備え、前記収容部は、前記ボディ前方部の後方側端部で折り曲げられて内側に延びた境界面と、前記境界面の内側端部で折り曲げられて後方側に延び、前記移送管路と対向する対向面とを備えて、分配管とガスケット周辺の他の構造物の干渉を回避する洗濯機に関するものである。
2021528182.tif 000002
【特許請求の範囲】
【請求項１】
洗濯機であって、
前面に形成された洗濯物投入口を有するケーシング１０と、
前記ケーシング１０内に備えられ、その前面に形成された開口部を有するタブ３０と、
前記タブ３０内に回転可能に備えられて、洗濯物を収容するドラム４０と、
前記洗濯物投入口と開口部とを連結する通路を形成するガスケットボディ６１、６２、及び前記ガスケットボディ６１、６２の内周面に備えられて、前記ドラム内に水を噴霧する複数のノズル６６、６７を備えるガスケット６０と、
前記タブから排出された水を汲み出すように構成されたポンプ７０と、
前記ポンプ７０により汲み出した水を前記複数のノズル６６、６７に供給するための分配管８０と、を備えてなり、
前記分配管は、
前記ガスケットボディ６１、６２の外周面上に配置されて、前記ポンプ７０が汲み出した水を案内する移送管路８１、８２と、
前記移送管路８１、８２から前記ガスケットボディ６１、６２に向かって突出し、前記複数のノズル６６、６７に水を供給する複数の吐出ポート８３、８４と、を備え、
前記ガスケットボディ６１、６２は、前記ケーシング１０の一側に位置する前方ボディ６０ａ及び前記タブ３０の一側に位置し、その上に配置された前記移送管路８１、８２を有する後方ボディ６０ｂに分かれ、
前記後方ボディ６０ｂは、前記移送管路８１、８２の少なくとも一部が配置される収容部６１０を備え、
前記収容部６１０は、
前記前方ボディ６０ａの後方端部から折り曲げられて内側に拡張される境界面６１２と、
前記境界面６１２の内側端部から折り曲げられて後方に拡張され、前記移送管路８１、８２に対向する対向面６１１と、を備えることを特徴とする、洗濯機。
【請求項２】
前記ガスケットボディ６１、６２は、
前記ケーシング１０から前記タブ３０に向かって拡張されるリム部６１ａと、
前記リム部６１ａから前記ケーシング１０に向かって拡張される内径部６１ｂと、
前記内径部６１ｂから外側に折り曲げられて前記タブ３０に向かって拡張され、前記内径部６１ｂの直径より大きい直径を有する外径部６１ｃと、を備え、
前記後方ボディ６０ｂは、前記外径部６１ｃに配置されることを特徴とする、請求項１に記載の洗濯機。
【請求項３】
前記境界面６１２は、前記リム部６１ａから折り曲げられる前記内径部６１ｂの部分より後方に配置されることを特徴とする、請求項２に記載の洗濯機。
【請求項４】
前記対向面６１１は、前記リム部６１ａから折り曲げられる前記内径部６１ｂの部分より放射方向にさらに外側に配置されることを特徴とする、請求項２又は３に記載の洗濯機。
【請求項５】
前記移送管路８１、８２は、前記ガスケットボディ６１、６２の外周面に対向する内部面を備え、
前記移送管路８１、８２の少なくとも一部の内部面は、前記対向面６１１と前記前面ボディ６０ａの後方端部から後方に拡張される垂直面との間に放射方向に配置されることを特徴とする、請求項１〜４の何れか一項に記載の洗濯機。
【請求項６】
前記ガスケットボディ６１、６２が前記タブ３０の幅方向に両側に第１の領域及び第２の領域に分かれるとき、前記収容部６１は、
前記第１の領域に配置される第１の収容部６１０ａと、
前記第２の領域に配置される第２の収容部６１０ｂと、を備えることを特徴とする、請求項１〜５の何れか一項に記載の洗濯機。
【請求項７】
前記ガスケット６０は、前記ガスケットボディ６１、６２の外周面から突出されて、前記複数のノズル６６、６７と各々連通する複数のポート挿入管６３、６４を備え、
前記複数のポート挿入管６３、６４は、前記第１の領域に垂直に配置される第１の上部ポート挿入管６３ａ及び第１の下部ポート挿入管６３ｂを備え、
前記複数の吐出ポート８３、８４は、
前記第１の上部ポート挿入管６３ａに結束される第１の上部吐出ポート８３ａと、
前記第１の下部ポート挿入管６３ｂに結束される第１の下部吐出ポート８３ｂと、を備えることを特徴とする、請求項６に記載の洗濯機。
【請求項８】
前記第１の下部ポート挿入管６３ｂは、前記ガスケット６０の中心を通る水平線より低く配置され、
前記第１の上部ポート挿入管６３ａは、前記水平線より高く配置され、
前記第１の下部ポート挿入管６３ｂと前記水平線との間の距離は、前記第１の上部ポート挿入管６３ａと前記水平線との間の距離より小さいことを特徴とする、請求項７に記載の洗濯機。
【請求項９】
前記第１の収容部６１０ａは、前記水平線上の位置から前記ガスケット６０の円周方向に沿って前記第１の下部ポート挿入管６３ｂの下のさらに他の位置に拡張され、
前記第１の下部ポート挿入管６３ｂは、前記第１の収容部６１０ａの対向面６１１から突出されることを特徴とする、請求項７又は８に記載の洗濯機。
【請求項１０】
前記第１の下部ポート挿入管６３ｂ及び前記第１の上部ポート挿入管６３ａは、互いに平行な方向に突出され、
前記第１の下部吐出ポート８３ｂ及び前記第１の上部吐出ポート８３ａは、互いに平行な方向に突出されることを特徴とする、請求項７〜９の何れか一項に記載の洗濯機。
【請求項１１】
前記複数のポート挿入管６３、６４は、前記第２の領域に垂直に配置される第２の上部ポート挿入管６４ａ及び第２の下部ポート挿入管６４ｂを備え、
前記複数の吐出ポート８３、８４は、
前記第２の上部ポート挿入管６４ａに結束される第２の上部吐出ポート８４ａと、
前記第２の下部ポート挿入管６４ｂに結束される第２の下部吐出ポート８４ｂと、を備えることを特徴とする、請求項７〜１０の何れか一項に記載の洗濯機。
【請求項１２】
前記分配管８０は、前記第１及び第２の下部吐出ポート８４ａ、８４ｂより低い地点で前記移送管路８１、８２から下方向に突出され、前記ポンプ７０により汲み出した水を流入させる流入ポート８５を備え、
前記移送管路８１、８２は、
前記第１の領域の外周面上に配置され、前記流入ポート８５を介して流入した水を前記第１の下部吐出ポート８３ｂ及び前記第１の上部吐出ポート８３ａに順次案内する第１の管路部８１と、
前記第２の領域の外周面上に配置され、前記流入ポート８５を介して流入した水を前記第２の下部吐出ポート８４ｂ及び前記第２の上部吐出ポート８４ａに順次案内する第２の管路部８２と、を備えることを特徴とする、請求項１１に記載の洗濯機。
【請求項１３】
前記タブ３０の前面に配置されたバランサ９０をさらに備え、
前記バランサ９０は、前記第１の領域の外側に配置された第１のバランサ９１及び前記第２の領域の外側に配置された第２のバランサ９２を備え、
前記第１の管路部８１の少なくとも一部は、前記第１の収容部６１０ａと前記第１のバランサ９１の対向面との間に配置され、
前記第２の管路部８２の少なくとも一部は、前記第２の収容部６１０ｂと前記第２のバランサの対向面との間に配置されることを特徴とする、請求項１２に記載の洗濯機。
【請求項１４】
前記移送管路８１、８２は、放射方向への幅より大きい前方−後方方向への幅を有するように形成されることを徴とする、請求項１〜１３の何れか一項に記載の洗濯機。
【請求項１５】
前記ガスケット６０は、前記収容部６１０から前記移送管路８１、８２に突出されるリブ６１５を備え、
前記リブ６１５は、望ましくは、
前記対向面６１１から前記ガスケットボディ６１、６２の放射方向に突出される第１の突起部６１５ａと、
前記境界面６１２から前記タブ３０に向かって突出される第２の突起部６１５ｂと、を備え、
前記リブ６１５は、望ましくは、前記第１の突起部６１５ａと前記第２の突起部６１５ｂとの間に形成され、前記第１の突起部６１５ａと前記第２の突起部６１５ｂとを連結する連結突起部６１５ｃを備えることを特徴とする、請求項１〜１４の何れか一項に記載の洗濯機。
【発明の詳細な説明】
【技術分野】
【０００１】
本発明は、洗濯機に関し、より詳細には、タブから排出されて循環管に沿って循環された水をドラム内に噴射するノズルを備えた洗濯機に関する。
【背景技術】
【０００２】
一般的に、洗濯機は、水と洗剤との化学的分解作用と、水と洗濯物との間の摩擦等、物理的作用などを利用して、衣服、寝具等（以下、「洗濯物」と略称する。）に付いた汚染物質を分離し出す装置を通称するものである。このような洗濯機は、水が溜められるタブと、前記タブ内に回転可能に備えられて洗濯物を収容するドラムとを備える。
【０００３】
公開特許公報１０−２０１１−００４０１８０号（以下、「従来技術」という。）は、タブから排出された水を循環ポンプを用いて循環させ、このように循環された水を噴射ノズルを介してドラム内に噴射する洗濯機を開示している。上記の洗濯機は、分配器が循環ポンプに結合されて洗濯水を分配させ、分配器で第１、２の噴射流路が結合されて、第１、２の噴射流路が洗濯水を第１、２の噴射ノズルに各々案内する構造である。また、噴射ノズルは、ガスケットを貫通するコネクタによりガスケットに固定され、噴射流路と連結される。
【０００４】
従来技術は、２つの噴射ノズルを備える洗濯機を開示しているが、噴射方向が制限的であって、洗濯物を均等に濡らすことができなかった。特に、最近には、前記ドラムに投入された洗濯物の流動に多様性を付与するために、前記ドラムの回転を制御する新しい技術が開発されているにもかかわらず、従来のような構造では、画期的な性能向上を期待できないという限界がある。
【０００５】
また、従来技術は、コネクタをガスケットに貫通させて噴射ノズルをガスケットに結合しなければならず、前記循環ポンプと連結された噴射流路が噴射ノズルと対応する個数が必要であり、複数の噴射流路とコネクタを各々結合しなければならないので、構造が複雑であり、組み立てる過程のため、製品の製造工程が複雑であった。
【０００６】
また、前記ポンプ、噴射流路、コネクタ、及び噴射ノズル間の連結部が多く、洗濯機の運用の際、その部分で洗濯水の漏水が発生する可能性があり、前記洗濯水に含まれた洗剤の凝固や汚染物の沈着により発生する衛生上の問題があった。
【０００７】
上記の問題点を解決するために、循環ポンプから吐出された循環水を複数のノズルに案内する技術が活発に開発中にある。
【０００８】
しかしながら、循環水を複数のノズルに案内する管とバランサなどの構造物が干渉される可能性があるという問題点がある。
【０００９】
また、前記循環水を複数のノズルに案内する管とガスケットとの摩擦によるガスケットの摩耗が発生する可能性があるという問題点がある。
【発明の概要】
【発明が解決しようとする課題】
【００１０】
本発明が解決しようとする課題は、タブから排出された水を噴射する複数のノズルを備えて洗濯物を均等に濡らすことができ、ポンプと複数のノズルとの間の連結構造及び組立工程を単純化した洗濯機を提供することである。
【００１１】
本発明のさらに他の課題は、ポンプから圧送された水をノズルに案内する循環水供給管とガスケット周辺の構造物の干渉を回避する洗濯機を提供することである。
【００１２】
本発明のさらに他の課題は、ドラムの回転によるタブの振動によりガスケットの形状が繰り返し的に変わることができ、このようなガスケット形状の変形によってガスケットに結合された循環水供給管が脱去される現象を防止する洗濯機を提供することである。
【００１３】
本発明が解決しようとする課題は、循環水供給管とガスケットとの摩擦によるガスケットの摩耗を防止する洗濯機を提供することである。
【００１４】
本発明の課題は、以上で言及した課題に制限されず、言及されていないさらに他の課題は、下記の記載から当業者に明確に理解され得るであろう。
【課題を解決するための手段】
【００１５】
上記課題を達成するために、本発明の実施形態に係る洗濯機は、ケーシングに形成された洗濯物投入口とタブに形成された開口部とを連結する通路を形成ガスケットボディと、前記ドラム内に水を噴射する複数のノズルを備えるガスケットと、ポンプにより圧送された水を前記複数のノズルに供給する分配管とを備える。
前記洗濯物投入口は、ケーシングの前方面に形成される。
【００１６】
前記タブは、前記ケーシング内に配置される。前記開口部は、前記タブの前方面に形成される。
【００１７】
前記複数のノズルは、前記ガスケットボディの内周面に備えられる。
【００１８】
前記分配管は、前記ガスケットの外周面に配置される移送管路と、前記移送管路から前記ガスケットボディ側に突出される吐出ポートとを備える。前記移送管路は、ポンプから圧送された水を案内する。前記複数の吐出ポートは、前記複数のノズルに水を供給する。
【００１９】
前記ガスケットボディは、前記ケーシング側に位置するボディ前方部と、前記タブ側に位置するボディ後方部とに区分される。
【００２０】
前記ボディ後方部には、前記移送管路が配置される。前記ボディ後方部は、前記移送管路の少なくとも一部分が配置される収容部を備える。
【００２１】
前記収容部は、ボディ前方部の後方側端部で折り曲げられて内側に延びた境界面と、前記境界面の内側端部で折り曲げられて後方側に延びる対向面とを備える。前記対向面は、前記移送管路と対向する。
【００２２】
前記ガスケットボディは、前記ケーシングから延びるリム部と、前記リム部から外側に折り曲げられた後、前記ケーシングに向かって延びる内径部と、前記内径部から外側に折り曲げられた後、前記ケーシングに向かって延びる内径部とを備えることができる。
前記外径部は、前記内径部より直径が大きいことができる。
前記ボディ後方部は、前記外径部に位置することができる。
【００２３】
前記境界面は、前記内径部の前記リム部から折り曲げられた部分より後方側に位置することができる。
【００２４】
前記対向面は、前記内径部の前記リム部から折り曲げられた部分より外側に位置することができる。
【００２５】
前記移送管路は、ガスケットボディの外周面と対向する内側面を備えることができる。前記移送管路の少なくとも一部分の内側面は、前記前方部の後方側端部を後方に延びた仮想の面と前記対向面との間に位置することができる。
【００２６】
前記収容部は、前記ガスケットボディを左右に配分した第１、２の領域のうち、前記第１の領域に配置される第１の収容部と、前記第２の領域に配置される第２の収容部とを備えることができる。
【００２７】
前記ガスケットは、前記ガスケットボディの外周面から突出され、前記複数のノズルと各々連通される複数のポート挿入管を備えることができる。
【００２８】
前記複数のポート挿入管は、前記第１の領域に上下に配置される第１の上部ポート挿入管及び第１の下部ポート挿入管を備えることができる。
【００２９】
前記第１の下部ポート挿入管は、前記ガスケットの中心を通る水平線より下側に位置することができる。
【００３０】
前記第１の上部ポート挿入管は、前記水平線より上側に位置することができる。
【００３１】
前記第１の下部ポート挿入管と前記水平線との間の距離は、前記第１の上部ポート挿入管と前記水平線との間の距離より近いことができる。
【００３２】
前記第１の収容部は、少なくとも前記水平線より上側から前記第１の下部ポート挿入管より下側まで前記ガスケットの円周方向に沿って延びることができる。
【００３３】
前記第１の下部ポート挿入管は、前記第１の収容部の対向面から突出されることができる。
【００３４】
前記第１の下部ポート挿入管と前記第１の上部ポート挿入管とは、互いに平行な方向に突出されることができる。
【００３５】
前記第１の下部吐出ポートと前記第１の上部吐出ポートとは、互いに平行な方向に突出されることができる。
【００３６】
前記複数のポート挿入管は、前記第２の領域に上下に配置される第２の上部ポート挿入管及び第２の下部ポート挿入管を備えることができる。
【００３７】
前記複数の吐出ポートは、前記第２の上部ポート挿入管と結合する第２の上部吐出ポートと、前記第２の下部ポート挿入管と結合する第２の下部吐出ポートとを備えることができる。
【００３８】
前記分配管は、前記第１、２の下部吐出ポートより下側に前記移送管路から下側に突出され、前記ポンプから圧送された水が流入する流入ポートを備えることができる。
【００３９】
前記移送管路は、前記第１の領域の外周面に配置され、前記流入ポートを介して流入した水を前記第１の下部吐出ポート及び第１の上部吐出ポートに順に案内する第１の管路部と、前記第２の領域の外周面に配置され、前記流入ポートを介して流入した水を前記第２の下部吐出ポート及び第２の上部吐出ポートに順に案内する第２の管路部とを備えることができる。
【００４０】
前記洗濯機は、前記タブの前方面に配置されるバランサを備えることができる。前記バランサは、前記第１の領域の外側に配置される第１のバランサと、前記第１の領域の外側に配置される第２のバランサとを備えることができる。
【００４１】
前記移送管路は、少なくとも一部分が前記ガスケットと前記バランサとの間に位置することができる。前記第１の管路部は、少なくとも一部分が前記第１の収容部の対向面と前記第１のバランサとの間に位置することができる。前記第２の管路部は、少なくとも一部分が前記第２の収容部の対向面と前記第２のバランサとの間に位置することができる。
【００４２】
前記分配管は、前記ポンプから圧送された水を前記第１の上下部ポート挿入管と連通された第１の上部ノズル及び第１の下部ノズルに供給する第１の分配管と、前記ポンプから圧送された水を前記第２の上下部ポート挿入管と連通された第２の上部ノズル及び第２の下部ノズルに供給する第２の分配管とを備えることができる。
【００４３】
前記第１の分配管は、前記第１の領域の外周面に配置される第１の移送管路と、前記ポンプから圧送された水が流入し、前記第１の下部吐出ポートより下側で前記第１の移送管路から突出される第１の流入ポートと、前記第１の上下部吐出ポートとを備えることができる。
【００４４】
前記第２の分配管は、前記第２の領域の外周面に配置される第２の移送管路と、前記ポンプから圧送された水が流入し、前記第２の下部吐出ポートより下側で前記第２の移送管路から突出される第２の流入ポートと、前記第２の上下部吐出ポートとを備えることができる。
【００４５】
前記移送管路は、前後方向の幅が半径方向の幅より大きく形成されることができる。
【００４６】
前記陥没部の前後方向の幅は、少なくとも前記移送管路の前後方向の幅と同じであるか、前記移送管路の前後方向の幅より大きく形成されることができる。
【００４７】
前記ガスケットは、前記収容部から前記移送管路に向かって突出されたリブを備えることができる。
【００４８】
前記リブは、前記対向面と境界面とのうち、少なくともいずれか１つの面から突出されることができる。
【００４９】
前記リブは、前記対向面から前記ガスケットボディの半径方向に突出された第１の突起部と、前記境界面から前記タブ側方向に突出された第２の突起部とを備えることができる。前記リブは、前記第１の突起部と前記第２の突起部との間に形成された連結突起部を備えることができる。前記連結突起部は、前記第１、２の突起部を連結することができる。
前記リブは、複数個で備えられることができる。
【００５０】
前記複数のリブは、前記ガスケットボディの円周方向に互いに離間されることができる。
【００５１】
前記リブは、前記下部ポート挿入管と前記上部ポート挿入管との間に位置することができる。
【００５２】
その他の実施形態等の具体的な事項は、詳細な説明及び図面に含まれている。
【発明の効果】
【００５３】
本発明の洗濯機によれば、次のような効果が１つあるいはそれ以上ある。
【００５４】
第１に、ガスケットボディの内周面に備えられる複数のノズルを備えて洗濯物を均等に濡らすことができ、前記ポンプと複数のノズルとを連結してポンプにより圧送された水を前記複数のノズルに供給する分配管を備えることにより、ポンプとノズルとの間の連結構造及び組立工程を単純化できるという長所がある。
【００５５】
第２に、前記ガスケットボディの後方部は、ボディ前方部の後方側端部で折り曲げられて内側に延びた境界面と、前記境界面の内側端部で折り曲げられて後方側に延びる対向面とを備える収容部を備え、分配管の移送管路の少なくとも一部分は、前記収容部に配置されて、前記分配管とバランサなど、前記ガスケット周辺の構造物の干渉を回避できるという長所もある。また、分配管と他の構造物の干渉を回避することにより、洗濯機の全体構造の大きさを減らすことができるという長所もある。
【００５６】
第３に、ガスケットは、ケーシング側のリム部と、前記リム部から外側に折り曲げられた後、前記ケーシングに向かって延びた内径部と、前記内径部から外側に折り曲げられた後、タブに向かって延びた外径部とを備えることができる。ドラムの回転によるタブの振動により、前記内径部の形状が繰り返し的に変わることができる。前記収容部は、前記外径部に位置して、ノズルを介してドラム内に円滑に水を噴射し、ガスケットの形状が変わることによる分配管の脱去を防止できるという長所もある。
【００５７】
第４に、ガスケットは、収容部から移送管路に向かって突出されたリブを備えて、分配管とガスケットとの摩擦によるガスケットの摩耗を防止できるという長所もある。
【００５８】
本発明の効果は、以上で言及した効果に制限されず、言及されていないさらに他の効果は、請求の範囲の記載から当業者に明確に理解され得るであろう。
【図面の簡単な説明】
【００５９】
【図１】本発明の一実施形態に係る洗濯機を示した斜視図である。
【図２】図１に示された洗濯機の断面図である。
【図３】本発明の第１実施形態に係る洗濯機の一部分を示したものである。
【図４】図３に示された組立体の分解斜視図である。
【図５】図４に示されたガスケットの斜視図である。
【図６】図４に示されたガスケットと分配管組立体の背面図である。
【図７】図６に示された組立体の正面図である。
【図８】図７のＩ−Ｉに沿って切り取った断面図である。
【図９】図４に示された分配管の正面図である。
【図１０】図６に示された組立体の斜視図である。
【図１１】図６に示されたガスケットの斜視図である。
【図１２】図１１に示されたガスケットの収容部を示す拡大図である。
【図１３】図１２に示されたI−Iに沿ってガスケットを切り取った断面図である。
【図１４】本発明の第２実施形態に係る洗濯機の一部分を示したものである。
【図１５】図１４に示された分配管とガスケットとを示したものである。
【図１６】図１４に示された分配管の正面図である。
【図１７】本発明の第３実施形態に係る洗濯機のガスケットの収容部を示したものである。
【図１８】図１７に示されたガスケットの右側面図である。
【発明を実施するための形態】
【００６０】
本発明の利点及び特徴、そして、それらを達成する方法は、添付される図面とともに詳細に後述されている実施形態を参照すれば、明確になるであろう。しかしながら、本発明は、以下において開示される実施形態に限定されるものではなく、互いに異なる様々な形態で実現されることができ、単に本実施形態は、本発明の開示が完全なようにし、本発明の属する技術分野における通常の知識を有する者に発明の範疇を完全に知らせるために提供されるものであり、本発明は、請求項の範疇により定義されるだけである。明細書全体にわたって同一参照符号は、同一構成要素を称する。
【００６１】
以下、本発明の実施形態によって洗濯機を説明するための図面を参考して本発明について説明する。
【００６２】
本発明の実施形態に係る洗濯機は、図１及び図２に示すように、外観を形成するケーシング１０と、洗濯水が貯留されるタブ３０と、前記タブ内に回転可能なように設けられて洗濯物が投入されるドラム４０とを備える。また、前記ドラムを回転させるモータ５０（以下、「駆動部」ともいう。）を備えることができる。
【００６３】
ケーシング１０の前方面には、洗濯物投入口１２が形成された前方パネル１１が配置され、前記前方パネル１１には、前記洗濯物投入口１２を開閉するドア２０が配置され、洗剤が投入されるディスペンサ１４が設けられ得る。
【００６４】
また、ケーシング１０の内部には、給水バルブ１５、給水管１６、給水ホース１７が設けられて、給水の際、給水バルブ１５、給水管１６を通過した洗濯水は、ディスペンサ１４で洗剤と混合された後、給水ホース１７を介してタブ３０に供給されることができる。
【００６５】
一方、給水バルブ１５に直水供給管１８が連結されて、直水供給管１８を介して洗濯水が洗剤と混合されずにタブ３０内に直接供給されることができる。
【００６６】
また、ポンプ７０と分配管８０とが設けられ、前記ポンプ７０とタブ３０とは、排出ホース７２に連結され、前記分配管８０と前記ポンプ７０とは、直結されるか、循環管８６に連結されることができる。したがって、ポンプ７０が作動されれば、タブ３０内に貯留された洗濯水が分配管８０を介してドラム４０内部に噴射されて循環されることができる。前記ポンプ７０は、排水管７４と連結されて、前記排水管７４を介して洗濯水を外部に排出することができる。
【００６７】
上記のように、本発明の実施形態に係る洗濯機のポンプ７０は、洗濯水を外部に排出させる排水ポンプと洗濯水を循環させる循環ポンプとしての機能を果たすが、これとは異なり、排水ポンプ及び循環ポンプが別に設けられることができ、排水ポンプと循環ポンプとが別に設けられる場合には、排水ポンプに前記排水管７４が連結され、循環ポンプに前記循環管８６が連結されることが当たり前である。
【００６８】
一方、前記タブ３０は、単一のタブ体で形成されることができ、第１、２のタブ体３０ａ、３０ｂが互いに締め付けられて形成されることもできるところ、本発明の実施形態においては、第１、２のタブ体３０ａ、３０ｂが締め付けられてタブ３０を形成することを例に挙げて説明する。以下では、前記第１のタブ体３０ａを単純に「タブ３０」と称して説明する。
【００６９】
タブ３０は、ケーシング１０内に配置され、前記タブ３０の前方には、前方パネル１１に形成された洗濯物投入口１２に対応するように開口部３２（図４参照）が形成される。
【００７０】
タブ３０内には、洗濯物が収容されるドラム４０が回転可能に備えられることができる。ドラム４０は、洗濯物を収容し、洗濯物が投入される入口が前面に位置するように配置され、略水平な回転中心線を中心に回転される。ただし、ここでの「水平」は、数学的に厳密な意味として使用された用語ではない。すなわち、実施形態のように、回転中心線が水平に対して所定の角度で傾いた場合も垂直よりは水平に近接するので、実質的に水平であるということができる。タブ３０内の水がドラム４０内に流入し得るように、ドラム４０には、複数の通孔が形成され得る。
【００７１】
ドラム４０の内側面には、複数のリフタが備えられ得る。複数のリフタは、ドラム４０の中心に対して一定の角度で配置されることができる。ドラム４０の回転の際、洗濯物がリフタにより持ち上げられてから落下することを繰り返す。
【００７２】
ドラム４０を回転させるための駆動部５０がさらに備えられ得るし、駆動部により回転される駆動軸がタブ３０の後面部を通過してドラム４０と結合されることができる。
【００７３】
望ましくは、駆動部５０は、直結式洗濯モータを備えて構成され、前記洗濯モータは、タブ３０の後方に固定されたステータと、前記ステータとの間に作用する磁気力により回転されるロータとを備えることができる。駆動軸は、ロータと一体に回転されることができる。
【００７４】
図３及び図４に示すように、本発明の一実施形態に係る洗濯機は、ケーシング１０とタブ３０とを連結するガスケット６０と、ドラム４０内に水を噴射するノズル６６、６７（図６参照。）と、タブ３０から排出された水を圧送するポンプ７０と、ポンプ７０により圧送された水を前記ノズル６６、６７に案内する分配管８０とを備える。また、タブ３０の前方面３１に配置されるバランサ９０と、ポンプ７０から圧送された水を分配管８０に案内する循環管８６とを備えることができる。
【００７５】
図２〜図５及び図８に示すように、ガスケット６０は、ケーシング１０の洗濯物投入口１２とタブ３０の開口部３２とを連結する通路６０Ｐを形成するガスケットボディ６１、６２を備える。ガスケット６０ボディ６１、６２の中心方向に向かう内側周面を内周面６２といい、これと反対側の外側周面を外周面６１ということができる。
【００７６】
ガスケットボディの内周面６２は、前記洗濯物投入口１２と前記開口部３２とを連結する通路６０Ｐを形成する。ガスケットボディの外周面６１は、バランサ９０の内側周面と対向することができる。ガスケットボディの外周面６１は、分配管８０と対向することができる。
【００７７】
前記洗濯物投入口１２を形成する前方パネル１１の投入口枠と前記開口部３２を形成するタブ３０の枠との間にガスケット６０が配置されて、前記タブ３０に貯留された洗濯水がタブ３０から漏れることが防止される。
【００７８】
これをより詳細に説明すれば、ガスケット６０は、ゴムのような柔軟性の材質で形成され、略円筒形（以下、管状ともいう。）からなる。例えば、ガスケット６０は、ＥＰＤＭ（Ｅｔｈｙｌｅｎｅ  Ｐｒｏｐｙｌｅｎｅ  Ｄｉｅｎｅ  Ｍｏｎｏｍｅｒ）、ＴＰＥ（Ｔｈｅｒｍｏ  Ｐｌａｓｔｉｃ  Ｅｌａｓｔｏｍｅｒ）などの材質からなることができるが、これに限定されるべきものではない。
【００７９】
ガスケット６０の前方の縁が前方パネル１１の前記投入口１２枠に連結され、ガスケット６０の後方の縁がタブ３０の前記開口部３２枠に連結されて、ガスケット６０の前後方の縁を連結するガスケットボディ６１、６２は、洗濯物投入通路６０Ｐを形成し、タブと前方パネルとの間が密封され、ドア２０が閉まる場合、ドア２０とガスケット６０との先端部が密着されて、ドア２０とガスケット６０との間が密封されるので、洗濯水の漏れが防止される。
【００８０】
ガスケット６０は、前端部と後端部とが各々環形からなり、前記前端部から前記後端部に延びる管状の形態である。ガスケット６０の前記前端部は、ケーシング１０に固定され、前記後端部は、タブ３０の入口周りに固定される。ガスケット６０は、柔軟なまたは弾力性を有する材質からなることができる。ガスケット６０は、天然ゴムまたは合成樹脂からなることができる。
【００８１】
ガスケット６０は、ケーシング１０の投入口１２周りに結合されるケーシング結合部６８ａと、タブ３０の入口周り３３に結合されるタブ結合部６８ｂと、ケーシング結合部６８ａとタブ結合部６８ｂとの間で延びるガスケットボディ６１、６２とを備えることができる。
【００８２】
ケーシング結合部６８ａとタブ結合部６８ｂとは、各々環形からなり、ガスケットボディ６１、６２は、ケーシング結合部６８ａと連結される環形の前端部からタブ結合部６８ｂと連結される環形の後端部を有し、前記前端部から前記後端部に延びる管状の形態からなることができる。
【００８３】
前方パネル１１は、投入口１２の周りが外側に巻かれており、このように巻かれた部分により形成された凹んだ部分内にケーシング結合部６８ａが挟まれ得る。
【００８４】
ケーシング結合部６８ａには、針金が巻かれる環形の溝が形成され得る。溝に沿って針金が巻かれた後、針金の両端が結束されることにより、ケーシング結合部６８ａが投入口１２周りに強固に固定される。
【００８５】
タブ３０は、タブ３０の開口部３２を形成する入口周り３３が前方面３１から突出されて外側に巻かれており、このように巻かれた部分により形成された凹んだ部分内にタブ結合部６８ｂが挟まれる。タブ結合部６８ｂには、針金が巻かれる環形の溝が形成され得る。溝に沿って針金が巻かれた後、針金の両端が結束されることにより、タブ結合部６８ｂがタブ３０の入口周りに強固に結合される。
【００８６】
一方、ケーシング結合部６８ａは、前方パネル１１に固定されるが、タブ結合部６８ｂは、タブ３０の動きによって変位される。したがって、ガスケットボディ６１、６２は、タブ結合部６８ａの変位に対応して変形がなされ得るべきである。このような変形が円滑になされ得るように、ガスケット６０は、ケーシング結合部６８ａとタブ結合部６８ｂとの間の区間（または、ガスケットボディ６１、６２）に、タブ３０が偏心により移動される方向（または、半径方向）に移動されることにより折り畳まれる折り畳み部６１ｂ（以下、「内径部」ともいう。）が形成され得る。
【００８７】
ガスケットボディ６１、６２は、ケーシング１０（または、ケーシング結合部６８ａ）からタブ３０（または、タブ結合部６８ｂ）に向かって（または、後方に向かって）延びる管状のリム部６１ａと、リム部６１ａから外側に折り曲げられた後、前記ケーシング１０に向かって延びる内径部６１ｂと、前記内径部６１ｂから外側に折り曲げられた後、前記タブ３０方向に延び、リム部６１ａ及び内径部６１ｂより直径が大きい外径部６１ｃとを備えることができる。
【００８８】
ガスケット６０は、ガスケットボディ６１、６２の前端から外側に折り曲げられてドア２０が閉まった状態で、投入口１２の外側でドア２０の背面と密着される外側ドア密着部６８３を備えることができる。ケーシング結合部６８ａは、外側ドア密着部６８３の外側端から延びた部分に前述した溝が形成され得る。
【００８９】
ガスケット６０は、ガスケットボディ６１、６２の前端から内側に折り曲げられてドア２０が閉まった状態で、投入口１２の内側でドア２０の背面（望ましくは、ウィンドウ２２）と密着される内側ドア密着部６８１をさらに備えることができる。
【００９０】
一方、ドラム４０は、回転過程で振動（すなわち、ドラム４０の回転中心線（図２参照）が移動）するようになり、それにより、タブ３０の中心線（略ドラム４０の回転中心線と同一である。）も移動し、このときの移動方向（以下、「偏心方向」という。）は、半径方向成分を有する。
【００９１】
内径部６１ｂと外径部６１ｃとの前方側は、タブ３０が偏心方向に移動するとき、折り畳まれるか、拡げられる。タブ３０の中心が偏心方向に移動されるとき、内径部６１ｂの一部分が折り畳まれれば、その部分で内径部６１ｂと外径部６１ｃとの間が狭くなり、逆に、内径部６１ｂが拡げられる他部分では、内径部６１ｂと外径部６１ｃとの間が広がる。
【００９２】
図６及び図７に示すように、ノズル６６、６７は、ガスケット６０の内周面６２上に複数個が備えられ得る。ノズル６６、６７は、上部ノズル６６ａ、６７ａと、上部ノズル６６ａ、６７ａより下側に備えられる下部ノズル６６ｂ、６７ｂとを備えることができる。上部ノズル６６ａ、６７ａは、ガスケット６０の中心より上側に配置されることができ、下部ノズル６６ｂ、６７ｂは、ガスケット６０の中心より下側に配置されることができる。
【００９３】
複数のノズル６６、６７は、前記ガスケットボディ６１、６２を左右に配分した第１、２の領域のうち、前記第１の領域に配置される第１のノズル６６と、前記第２の領域に配置される第２のノズル６７とを備えることができる。第１のノズル６６は、ガスケットボディの内周面６２の左側に配置され、第２のノズル６７は、ガスケットボディの内周面６２の右側に配置されることができる。
【００９４】
第１のノズル６６及び第２のノズル６７は、各々複数個が備えられ得る。本発明の実施形態では、第１のノズル６６及び第２のノズル６７は、各々２つずつ備えられているが、必ずしもこれに限定されるものではない。
【００９５】
第１のノズル６６は、前記第１の領域に上下に配置される第１の上部ノズル６６ａ及び第１の下部ノズル６６ｂを備えることができる。第１の下部ノズル６６ｂは、ガスケット６０の中心より下側に配置され、第１の上部ノズル６６ａは、前記第１の下部ノズル６６ｂより上側に配置されることができる。前記第１の上部ノズル６６ａは、前記ガスケット６０の中心より上側に配置されることができる。
【００９６】
第２のノズル６７は、前記第２の領域に上下に配置される第２の上部ノズル６７ａ及び第２の下部ノズル６７ｂを備えることができる。第２の下部ノズル６７ｂは、ガスケット６０の中心より下側に配置され、第２の上部ノズル６７ａは、前記第２の下部ノズル６７ｂより上側に配置されることができる。前記第２の上部ノズル６７ａは、前記ガスケット６０の中心より上側に配置されることができる。
【００９７】
第１、２の下部ノズル６６ｂ、６７ｂは、ドラム４０内に循環水を噴射するが、上向きに噴射することができる。第１、２の上部ノズル６６ａ、６７ａは、ドラム４０内に循環水を噴射するが、下向きに噴射することができる。前記循環水とは、タブ３０から排出されてポンプ７０により圧送され、分配管８０に案内され、ノズル６６、６７を介してドラム４０内に噴射される水を意味する。
【００９８】
ガスケット６０には、ドラム４０内に水を噴射する直水ノズルが備えられ得るし、給水部を介して供給された水を直水ノズルに案内する直水供給管１８が備えられ得る。直水ノズルは、渦流ノズルまたは噴霧ノズル一でありうるが、必ずしもこれに限定されるべきものではない。直水ノズルは、前方から眺めるとき、垂直線ＯＶ上に配置されることができる。ウィンドウ２２は、直水ノズルよりさらにドラム４０に向かって突出されており、直水ノズルを介して噴射された水流がウィンドウ２２に触れることができ、この場合、ウィンドウ２２が洗浄されるという効果がある。
【００９９】
図５及び図６に示すように、ガスケット６０は、ノズル６６、６７と連通されるポート挿入管６３、６４を備える。ポート挿入管６３、６４は、ガスケットボディの外周面６１から突出されて形成されることができる。後述する吐出ポート８３、８４がポート挿入管６３、６４に挿入され、ポート挿入管６３、６４は、ガスケットボディの外周面６１から突出形成されて、分配管８０からノズル６６、６７に供給される水がポート挿入管６３、６４と吐出ポート８３、８４との間に漏水されることを防止できる。
【０１００】
前記ポート挿入管６３、６４は、前述したノズル６６、６７と同様に、複数個が備えられ得るし、ノズル６６、６７と同じ数で備えられることができる。複数のポート挿入管６３、６４は、ガスケットボディ６１、６２を左右に配分した第１、２の領域のうち、前記第１の領域に配置される第１のポート挿入管６３と、前記第２の領域に配置される第２のポート挿入管６４とを備えることができる。
【０１０１】
第１のポート挿入管６３は、第１のノズル６６と連通され、第２のポート挿入管６４は、第２のノズル６７と連通されることができる。第１のポート挿入管６３は、ガスケットボディの外周面６１の左側に配置され、第２のポート挿入管６４は、ガスケットボディの外周面６１の右側に配置されることができる。
【０１０２】
第１のポート挿入管６３は、第１の領域に上下に配置される第１の上部ポート挿入管６３ａ及び第１の下部ポート挿入管６３ｂを備えることができる。第１の下部ポート挿入管６３ｂは、ガスケット６０の中心より下側に配置され、第１の上部ポート挿入管６３ａは、前記第１の下部ポート挿入管６３ｂより上側に配置されることができる。前記第１の上部ポート挿入管６３ａは、前記ガスケット６０の中心より上側に配置されることができる。
【０１０３】
第１の下部ポート挿入管６３ｂは、第１の下部ノズル６６ｂと連通され、第１の上部ポート挿入管６３ａは、第１の上部ノズル６６ａと連通される。第１の上部ポート挿入管６３ａと第１の下部ポート挿入管６３ｂとは、互いに並んだ方向に突出されることができる。
【０１０４】
第２のポート挿入管６４は、第２の領域に上下に配置される第２の上部ポート挿入管６４ａ及び第２の下部ポート挿入管６４ｂを備えることができる。第２の下部ポート挿入管６４ｂは、ガスケット６０の中心より下側に配置され、第２の上部ポート挿入管６４ａは、前記第２の下部ポート挿入管６４ｂより上側に配置されることができる。前記第２の上部ポート挿入管６４ａは、前記ガスケット６０の中心より上側に配置されることができる。
【０１０５】
第２の下部ポート挿入管６４ｂは、第２の下部ノズル６７ｂと連通され、第２の上部ポート挿入管６４ａは、第２の上部ノズル６７ａと連通される。第２の上部ポート挿入管６４ａと第２の下部ポート挿入管６４ｂとは、互いに並んだ方向に突出されることができる。
【０１０６】
第１、２のノズル６６、６７の上部ノズル６６ａ、６７ａ及び第１、２のポート挿入管６３、６４の上部ポート挿入管６３ａ、６４ａは、ガスケット６０の中心を通る水平線より上側に位置することができる。第１、２のノズル６６、６７の下部ノズル６６ｂ、６７ｂ及び第１、２のポート挿入管６３、６４の下部ポート挿入管６３ｂ、６４ｂは、ガスケット６０の中心を通る水平線より下側に位置することができる。ドラム４０に収容された洗濯物に円滑に水を噴射し、ドラム４０のいずれの位置にある洗濯物にも均等に水を噴射するために、下部ノズル６６ｂ、６７ｂ及び下部ポート挿入管６３ｂ、６４ｂとガスケット６０の中心を通る水平線との間の距離は、上部ノズル６６ａ、６７ａ及び上部ポート挿入管６３ａ、６４ａと前記水平線との間の距離より近いことができる。
【０１０７】
ドラム４０に収容された洗濯物は、重力によりドラム４０内部の下側に積まれ、下部ノズル６６ｂ、６７ｂは、ドラム４０に収容された洗濯物に円滑に水を噴射するために、ガスケット６０の最低点から相当高さ離間されて配置されなければならない。例えば、下部ノズル６６ｂ、６７ｂ、ガスケット６０の中心、及びガスケット６０の最低点がなす角度は、４５度以上であることができる。また、下部ポート挿入管６３ｂ、６４ｂは、ガスケット６０の中心及びガスケット６０の最低点がなす角度は、４５度以上であることができる。
【０１０８】
ドラム４０に収容された洗濯物に均等に水を噴射するために、上部ノズル６６ａ、６７ａは、下部ノズル６６ｂ、６７ｂと相当距離離間されて配置されなければならない。例えば、上部ノズル６６ａ、６７ａ及びガスケット６０の中心を通る直線とガスケット６０の中心を通る水平線とがなす角度は、３０度以上であることができる。また、上部ポート挿入管６３ａ、６４ａ及びガスケット６０の中心を通る直線とガスケット６０の中心を通る水平線とがなす角度は、３０度以上であることができる。
【０１０９】
図６及び図７に示すように、ガスケットの内周面６２には、ポート挿入管６３、６４に対応する部位に突出部６５が内側に向かって突出され得るし、前記突出部６５にノズル６６、６７が形成され得る。
【０１１０】
突出部６５は、第１の上下部ポート挿入管６３ａ、６３ｂ及び第２の上下部ポート挿入管６４ａ、６４ｂに対応する部位に内側に向かって突出される第１ないし第４の突出部６５ａ、６５ｂ、６５ｃ、６５ｄを備えることができる。第１ないし第４の突出部６５ａ、６５ｂ、６５ｃ、６５ｄには、各々第１の上下部ノズル６６ａ、６６ｂ及び第２の上下部ノズル６７ａ、６７ｂが形成され得る。
【０１１１】
図６〜図１０に示すように、分配管８０は、ポンプ７０から圧送された水を案内する移送管路８１、８２と、移送管路８１、８２からガスケットボディ６１、６２側に突出され、ポート挿入管６３、６４と結合される吐出ポート８３、８４とを備える。また、分配管８０は、ポンプ７０から吐出された水が流入する流入ポート８５を備えることができ、移送管路８２は、流入ポート８５を介して流入した水を吐出ポート８３、８４に案内することができる。
【０１１２】
分配管８０は、吐出ポート８３、８４がポート挿入管６３、６４に挿入されてガスケット６０に結合されることができる。分配管８０の移送管路８１、８２は、ガスケットボディの外周面６１に配置される。より具体的には、前記位移送管路８１、８２は、後述するガスケットボディの後方部６０ｂに配置される。移送管路８１、８２は、後述するガスケット６０の収容部６１０に少なくとも一部が位置し、ガスケットボディの外周面６１及びバランサ９０の間に配置されることができる。これにより、分配管８０は、別の空間を確保する必要なしに設けられることができる。
【０１１３】
分配管８０は、ガスケット６０より硬質または硬直性の合成樹脂からなることができる。分配管８０は、洗濯機の作動過程で発生する振動にもかかわらず、一定の形態を維持するものであって、特に、タブ３０の振動に対応して変形がなされる柔軟性のガスケット６０と比較するとき、分配管８０は、相対的に剛体に近いとみなすことができる。
【０１１４】
また、循環管８６は、タブ３０の振動に対応して変形される柔軟なものであることができ、この場合、分配管８０は、循環管８６より硬質または硬直性の合成樹脂からなることができる。
【０１１５】
本発明の第１実施形態に係る洗濯機の分配管８０は、概略的に上側部８８が開口されたリング形状で形成されることができる。すなわち、分配管８０は、ポンプ７０からポンピングされた水が流入する流入ポート８５と、前記流入した水をドラム４０内部に噴射されるように吐出する１つ以上の吐出ポート８３、８４と、前記流入ポート８５と吐出ポート８３、８４とを連結する移送管路８１、８２とを備え、移送管路８１、８２の左側管路部８１の一端と右側管路部８２の一端とは、流入ポート８５が備えられた地点で互いに連結されており、左側管路部８１の他端と前記右側管路部８２の他端とは、互いに分離されることができる。
【０１１６】
移送管路８１、８２の下側部に流入ポート８５が下側方向に突出形成されることができ、分配管８０の左右側に各々吐出ポート８３、８４が内側方向（または、ガスケット側）に突出形成されることができる。前記流入ポート８５とポンプ７０に形成された循環ポート７８との間に循環管８６が配置されて、タブ内の洗濯水が前記循環管８６を介して前記流入ポート８５に流入することができる。
【０１１７】
複数の吐出ポート８３、８４は、ガスケット６０の上部ポート挿入管６３ａ、６４ａと結合する上部吐出ポート８３ａ、８４ａと、ガスケット６０の下部ポート挿入管６３ｂ、６４ｂと結合する下部吐出ポート８３ｂ、８４ｂとを備えることができる。上部吐出ポート８３ａ、８４ａと下部吐出ポート８３ｂ、８４ｂとは、移送管路８１、８２からガスケットボディ６１、６２側に突出されるが、互いに並んで（または、平行な方向ともいう。）突出されることができる。上部吐出ポート８３ａ、８４ａと下部吐出ポート８３ｂ、８４ｂとは、ガスケットの中心を通る水平線と並んで突出されることができる。
【０１１８】
吐出ポート８３、８４は、移送管路８１、８２の内側面（ガスケットの外周面６１に向かう面）からガスケット６０の中心方向に向かって突出され、ポート挿入管６３、６４と挿入される。吐出ポート８３、８４は、移送管路８１、８２に沿って流動する循環水をノズル６６、６７に案内してドラム４０内に噴射されるようにすることができる。
【０１１９】
吐出ポート８３、８４の直径は、ポート挿入管６３、６４の内側直径より少し大きく形成されて、吐出ポート８３、８４がポート挿入管６３、６４に圧入され得る。循環水が吐出ポート８３、８４からノズル６６、６７に向かって流動するとき、反作用により移送管路８１、８２の吐出ポート８３、８４が位置した区間にガスケット６０と反対方向に力が作用できる。前記反作用力により分配管８０がガスケット６０から脱去されることを防止するために、前述したように、ポート挿入管６３、６４は、ガスケット６０の外周面６１から外側方向に突出形成されることができ、吐出ポート８３、８４の直径は、ポート挿入管６３、６４の内側直径より少し大きく形成されることができる。
【０１２０】
吐出ポート８３、８４は、移送管路８１、８２の左側管路部８１からガスケット６０の中心を通る垂直線ＯＶに向かう方向に突出される第１の吐出ポート８３と、移送管路８１、８２の右側管路部８２からガスケットの中心を通る垂直線ＯＶに向かう方向に突出される第２の吐出ポート８４とを備える。第１の吐出ポート８３は、第１のポート挿入管６３に挿入されて循環水を第１のノズル６６に案内し、第２の吐出ポート８４は、第２のポート挿入管６４に挿入されて循環水を第２のノズル６７に案内する。
【０１２１】
第１の吐出ポート８３は、第１の下部ポート挿入管６３ｂに挿入される第１の下部吐出ポート８３ｂと、第１の下部吐出ポート８３ｂより上側に形成され、第１の上部ポート挿入管６３ａに挿入される第１の上部吐出ポート８３ａとを備えることができる。第２の吐出ポート８４は、第２の下部ポート挿入管６４ｂに挿入される第２の下部吐出ポート８４ｂと、第２の下部吐出ポート８４ｂより上側に形成され、第２の上部ポート挿入管６４ａに挿入される第２の上部吐出ポート８４ａとを備えることができる。
【０１２２】
流入ポート８５は、複数の吐出ポート８３、８４のうち、いずれのものよりも下側で移送管路８１、８２と連結される。流入ポート８５は、下部吐出ポート８３ｂ、８４ｂより下側で移送管路８１、８２と連結される。
【０１２３】
移送管路８１、８２は、流入ポート８５を基準に移送管路８１、８２の左側部を形成する第１の管路部８１と、右側部を形成する第２の管路部８２とを備える。第１の管路部８１と第２の管路部８２とは、下側で互いに連結され、第１、２の管路部が互いに連結された地点から流入ポート８５が下側に突出され得る。
【０１２４】
移送管路８１、８２は、全体的に中心角の大きさが１８０度以上である、上側が開口されたた弧形状で形成されることができ、左右対称形で形成されることができる。移送管路８２は、左側に配置される第１の管路部８１と右側に配置される第２の管路部８２とを備えることができ、第１の管路部８１と第２の管路部８２とは、ガスケット６０の中心を通る垂直線ＯＶを基準に左右対称形で形成されることができる。
【０１２５】
移送管路８１、８２は、流入ポート８５から流入した水を左右両側に分枝させて上側に案内することができる。移送管路８１、８２は、流入ポート８５から流入した循環水を分枝させて、第１の部分流（第１の管路部８１に沿って流れる水）と第２の部分流（第２の管路部８２に沿って流れる水）とを形成させる。第１の部分流は、第１のノズル６６を介してドラム４０内に噴射されることができ、第２の部分流は、第２のノズル６７を介してドラム４０内に噴射されることができる。
【０１２６】
移送管路８１、８２は、ガスケット６０とバランサ９０との間に配置されることができる。移送管路８１、８２は、内側面がガスケット６０と対向し、外側面がバランサ９０と対向するように配置されることができる。
【０１２７】
前述したポート挿入管６３、６４、突出部６５、ノズル６６、６７、及び吐出ポート８３、８４は、その個数及び位置の変更が可能である。また、突出部６５及びノズル６６、６７が省略され、吐出ポート８３、８４からドラム４０内部に水が噴射されるように構成されることもできる。また、ノズル６６、６７は、ガスケット６０と別に形成されて、ガスケット６０に結合されるか、ガスケット６０と離間されるように配置されることもできる。
【０１２８】
図３〜図４に示すように、循環管８６の一端は、分配管８０の下部から突出された流入ポート８５と連結され、他端は、ポンプ７０の循環ポート７８と連結される。ポンプ７０の循環ポート７８が流入ポート８５と一直線上で向かい合う位置に備えられた場合、循環管８６は、一直線のパイプ形状でありうる。ただし、それ以外の場合には、循環管８６が柔軟な材質のホースで形成されるか、折り曲げられて形成されることができる。
【０１２９】
循環管８６は、柔軟であるものの、形状が維持される材質からなることができ、本発明の実施形態では、ＥＰＤＭ（ｅｔｈｙｌｅｎｅ  ｐｒｏｐｙｌｅｎｅ  ｄｉｅｎｅ  ｍｏｎｏｍｅｒ  ｒｕｂｂｅｒ）からなることができる。循環管８６は、ベローズ構造を含むことができる。
【０１３０】
図３〜図４に示すように、本発明の一実施形態に係る洗濯機は、タブ３０の前方面３１に配置されるバランサ９０を備える。バランサ９０は、タブ３０の前方面３１に締め付けられることができる。バランサ９０は、タブ３０の振動を低減するためのものであって、所定の重量を有する重量体である。バランサ９０は、タブ３０の前方面３１の周りに沿って配置される１つまたは２つ以上のバランサ９０を備えることができる。
【０１３１】
本発明の第１実施形態に係る洗濯機のバランサ９０は、タブ３０の前方面３１に左右両側に各々配置される第１のバランサ９１と第２のバランサ９２とを備えることができる。第１のバランサ９１は、ガスケット６０の左側に配置されることができ、第２のバランサ９２は、ガスケットの右側に配置されることができる。
【０１３２】
第１のバランサ９１は、ガスケットボディ６１、６２を左右に配分した第１、２の領域のうち、第１の領域の外側に配置されることができる。第２のバランサ９２は、前記第２の領域の外側に配置されることができる。
【０１３３】
第１のバランサ９１と第２のバランサ９２とは、上側及び下側で互いに離間されることができる。第１、２のバランサ９１、９２は、互いにガスケット６０の中心を通る垂直線ＯＶを基準に左右対称の形状でありうるし、前記垂直線ＯＶを基準に左右対称の位置に配置されることができる。
【０１３４】
図１０〜図１３に示すように、ガスケット６０は、移送管路８１、８２の少なくとも一部分が配置される収容部６１０を備える。ガスケットボディ６１、６２は、ケーシング側に位置するボディ前方部６０ａと、タブ３０側に位置するボディ後方部６０ｂとに区分される。ガスケットボディ６１、６２の前方部６０ａと後方部６０ｂの境界Ｂは、ガスケットボディの中心軸と垂直な平面上に位置することができる。
【０１３５】
移送管路８１、８２は、ボディ後方部６０ｂに位置する。収容部６１０は、ボディ後方部６０ｂに形成されることができる。ボディ後方部６０ｂは、収容部６１０を備える。
【０１３６】
収容部６１０は、ボディ前方部６０ａの後方側端部から内側に延びた境界面６１２を備える。境界面６１２は、前記ボディ前方部６０ａの後方側端部で折り曲げられて内側に延びる。境界面６１２は、ガスケットボディ６１、６２を前方部６０ａと後方部６０ｂとに区分する境界Ｂ上に位置する。説明の都合上、前記境界面６１２は、ボディ後方部６０ｂに含まれることと説明する。
【０１３７】
収容部６１０は、境界面６１２から後方側に延びた対向面６１１を備える。対向面６１１は、境界面６１２の内側端部で折り曲げられて後方側に延び、移送管路８１、８２の内側面と対向する。
【０１３８】
対向面６１１は、ボディ後方部６０ｂでガスケットボディ６１、６２の円周方向に延びる。境界面６１２は、対向面６１１から半径外側方向に延びる。境界面６１２は、ボディ前方部６０ａと連結される。
【０１３９】
ガスケットボディ６１、６２を前方部６０ａと後方部６０ｂとに区分する境界Ｂは、外径部６１ｃ上に位置することができる。すなわち、移送管路８１、８２が配置されるボディ後方部６０ｂは、外径部６１ｃに位置することができる。したがって、収容部６１０は、外径部６１ｃに位置することができる。
【０１４０】
前述したように、ドラム４０の回転過程でタブ３０が振動するようになり、タブ３０の振動によって柔軟な材質のガスケット６０は、折り畳まれるか、拡げられることができ、これにより振動することもできる。ケーシング１０とタブ３０とは、ガスケットより相対的に剛体とみなすことができるので、ガスケット６０は、ケーシング側またはタブ側で形状が変わらない。収容部６１０は、移送管路８１、８２が定着するように形成されたものであるため、ガスケットの外周面６１でケーシング１０と隣接したり、タブ３０と隣接するように形成されることができる。さらに、移送管路８１、８２は、ドラム４０内に水を噴射するノズル６６、６７にポンプ７０から圧送された水を案内する構成であるので、本発明の実施形態では、タブ３０に近いように移送管路８１、８２を配置することができる。したがって、収容部６１０は、外径部６１ｃに形成されることができる。
【０１４１】
一方、タブ３０の振動によって収容部６１０と内径部６１ｂとの間に干渉が生じる可能性がある。境界面６１２は、内径部６１ｂとリム部６１ａとの間の折り曲げ部より後方側に位置することができる。したがって、タブ３０が半径方向に振動する場合、収容部６１０と内径部６１ｂとの間の干渉を防止できる。
【０１４２】
また、対向面６１１は、内径部６１ｂとリム部６１ａとの間の折り曲げ部より外側に位置することができる。したがって、タブ３０が前後方向に振動する場合にも、収容部６１０と内径部６１ｂとの間の干渉を防止できる。
【０１４３】
上記の内径部６１ｂとリム部６１ａとの間の折り曲げ部は、リム部６１ａから外側に折り曲げられた部分を内径部６１ｂの一部分と定義するとき、内径部６１ｂのリム部６１ａから折り曲げられた部分を意味する。
【０１４４】
収容部６１０は、外径部６１ｃの最も後方（タブ３０方向）に形成されて、境界面６１２は、収容部６１０の前方（ケーシング１０方向）に形成されることができ、収容部６１０は、後方面が形成されないことができる。
【０１４５】
収容部６１０は、収容部６１０の前方側に隣接した部分より内側に入り込むように形成される。収容部６１０は、前記ガスケット６０の外周面６１の一部が内側に陥没されて形成されることができ、前記ガスケット６０の外周面６１の一部が外側に突出（または、隆起）されて、その一側に形成されることもできる。
【０１４６】
一方、移送管路８１、８２は、洗濯機の前後方向の幅が移送管路８１、８２の半径方向の幅より大きく形成されることができる。前記前後方向の幅は、移送管路８１、８２の内側面の幅を意味し、半径方向の幅は、移送管路８１、８２の内側面と外側面との間の距離を意味する。すなわち、移送管路８１、８２の断面は、収容部６１０の対向面６１１に対向する面の幅が収容部６１０の境界面６１２に対向する面の幅より長く形成されることができる。
【０１４７】
例えば、移送管路８１、８２の断面は、略長方形をなすことができ、この場合、長方形の長辺は、前記前後方向の幅になり、短辺は、前記半径方向の幅になる。このような構造でガスケット６０とバランサ９０との間の狭い間隔内にも分配管８０を設けることができる。
【０１４８】
また、移送管路８１、８２の少なくとも一部分の内側面は、半径方向にボディ前方部６０ａと対向面６１１との間に位置する。すなわち、移送管路８１、８２の少なくとも一部分の内側面は、ボディ前方部６０ａの後方側端部を後方に延ばした仮想の面と対向面６１１との間に位置する。ガスケットボディ６１、６２は、略円筒形であるので、ガスケットボディ６１、６２の左右方向の幅は、中心と同じ高さで最大値を有する。言い換えれば、ガスケットボディ６１、６２の左右方向の幅は、ガスケットボディ６１、６２の中心を通る水平面上で最大値を有する。したがって、ガスケットボディ６１、６２の中心と同じ高さで移送管路８１、８２の内側面は、半径方向にボディ前方部６０ａと対向面６１１との間に位置する。
【０１４９】
移送管路８１、８２が収容部６１０に位置し得るように、収容部の対向面６１１の幅は、前記移送管路８１、８２の幅と同じであるが、移送管路８１、８２の幅より大きく形成されることができる。
【０１５０】
一方、収容部６１０は、移送管路８１、８２の一部が位置するように、ガスケット６０の中心（ガスケットの中心を通る水平線ともいう。）より上側から最下側の吐出ポート８３ｂ、８４ｂ（または、最下側のポート挿入管６３ｂ、６４ｂ）より下側までガスケット６０の円周方向に沿って延長形成されることができ、ガスケット６０の中心を基準に左右対称に形成されることができる。したがって、下部ポート挿入管６３ｂ、６４ｂは、収容部６１０の対向面６１１から突出されることができる。
【０１５１】
前述したように、下部ポート挿入管６３ｂ、６４ｂと前記水平線との間の距離は、上部ポート挿入管６３ａ、６４ａと前記水平線との間の距離より近い。したがって、第１、２の下部ポート挿入管６３ｂ、６４ｂの間の距離は、第１、２の上部ポート挿入管６３ａ、６４ａの間の距離より遠いことができる。したがって、下部ポート挿入管６３ｂ、６４ｂを収容部６１０に配置することにより、ガスケット６０とバランサ９０との間の狭い空間にも分配管８０を配置することができる。
【０１５２】
収容部６１０は、下部ポート挿入管６３ｂ、６４ｂより下側から上部ポート挿入管６３ａ、６４ａより上側までガスケット６０の円周方向に沿って延長形成されることもできる。この場合、下部ポート挿入管６３ｂ、６４ｂだけでなく、上部ポート挿入管６３ａ、６４ａも収容部６１０から突出されることができる。
【０１５３】
または、移送管路８１、８２全体が定着するようにガスケット６０に分配管８０が結合されたときの移送管路８１の最も上側に位置する部分より上側から円周面に沿ってガスケット６０の最下側を通って反対側移送管路８２の最も上側に位置する部分より上側まで形成されることができる。
【０１５４】
ガスケット６０の左右幅が最も長いガスケット６０の中心を基準に上下に収容部６１０が延長形成されるので、移送管路８１、８２の一部のみ収容部６１０に定着しても、ガスケット６０とバランサ９０との間の狭い空間でも分配管８０を設けることができる。
【０１５５】
図１０〜図１２に示すように、ガスケットボディの外周面６１にリブ６１５が形成され得る。リブ６１５は、ガスケット６０の外周面６１からガスケット６０の半径方向に突出されることができる。すなわち、リブ６１５は、ガスケットボディの外周面６１の接線と直交する方向に延びて形成されることができる。
【０１５６】
分配管８０は、少なくとも一部分がリブ６１５に接触するように配置されることができる。分配管８０のうち、移送管路８１、８２の少なくとも一部分がリブ６１５に接触することができる。
【０１５７】
リブ６１５は、１つ以上のリブ６１５を備えることができ、複数のリブは、ガスケットボディ６１、６２の円周方向に互いに離間されることができる。図１２には、ガスケット左右両側のうち一側に４個のリブが形成されたことと図示しているが、リブ６１５の個数及びその配置位置は変更が可能である。
【０１５８】
分配管８０とガスケット６０との間の摩擦は、タブ３０の振動及び重力によりガスケット６０の上下方向中心付近で相対的に強くて、頻繁に発生することができる。また、ポンプ７０の作動によりノズルを介して水を噴射するとき、分配管８０に反作用が及ぼされて、吐出ポート８３、８４が形成された部分で前記摩擦が相対的に強くて、頻繁に発生することができる。したがって、リブ６１５は、上部ポート挿入管６３ａ、６４ａと下部ポート挿入管６３ｂ、６４ｂとの間に備えられることができる。
【０１５９】
分配管８０は、少なくとも一部分が収容部６１０に位置するので、リブ６１５は、収容部６１０に形成されることができる。リブ６１５は、収容部６１０から移送管路８１、８２に向かって突出されることができる。リブ６１５は、収容部６１０の対向面６１１に形成される第１の突起部６１５ａ、境界面６１２に形成される第２の突起部６１５ｂのうち、いずれか１つを備えるか、第１の突起部６１５ａと第２の突起部６１５ｂとを共に備えることができる。以下、リブ６１５が第１の突起部６１５ａと第２の突起部６１５ｂとを共に備える場合を例に挙げて説明する。
【０１６０】
第１の突起部６１５ａは、収容部６１０の対向面６１１からガスケットボディの半径方向に外側に突出されることができ、第２の突起部６１５ｂは、収容部６１０の境界面６１２からタブ３０方向に突出されることができる。第１の突起部６１５ａは、収容部６１０の対向面６１１に対向する移送管路８１、８２の内側面と接触することができ、第２の突起部６１５ｂは、収容部６１０の境界面６１２に対向する移送管路８１、８２の前方面と接触することができる。
【０１６１】
タブ３０が振動することにより、ガスケット６０は、内径部６１ｂが折り畳まれてから拡げられるか、振動が伝達され得るし、これによる分配管８０とガスケット外周面６１との摩擦を防止して摩耗を遅延するためにリブ６１５を形成できる。したがって、リブ６１５は、タブ３０及びガスケット６０の振動により摩擦が発生する収容部の対向面６１１と境界面６１２に形成されることができる。
【０１６２】
それに対し、ガスケット６０は、タブ３０と結合されてタブと隣接した位置は、相対的に振動の振幅が小さく、本発明の実施形態に係るガスケットの外周面６１（または、収容部６１０）は、タブ３０側に分配管と接触する面は存在しないことができ、タブの前方面３１と分配管８０とは離間されるように設けられて、タブ３０と分配管８０との間にはリブを設けなくとも、ガスケット６０などが摩耗されるという問題が生じない。
【０１６３】
第１の突起部６１５ａと第２の突起部６１５ｂとは、互いに異なる緯度上で形成されて、互いに離間されるように形成されることができ、同一緯度上で形成されて互いに離間されるか、繋がるように形成されることができる。一方、ここで、「緯度」とは、ガスケット６０の中心を通る水平線（前面から眺めるとき、垂直線ＯＶと直交する直線）となす角をいい、左側ガスケット上の緯度は、時計方向に角度を測定し、右側ガスケット上の緯度は、反時計方向に角度を測定して、地図上で使われる緯度と類似した意味と解釈されることができる。
【０１６４】
リブ６１５は、第１の突起部６１５ａと第２の突起部６１５ｂとの間に形成され、第１、２の突起部を連結する連結突起部６１５ｃを備えることができる。連結突起部６１５ｃは、第１の突起部６１５ａと第２の突起部６１５ｂとの間隔間に形成されて、第１の突起部６１５ａと第２の突起部６１５ｂとの間に狭角が９０度になるエッジが形成されないようにする。第１の突起部６１５ａと第２の突起部６１５ｂとの間に連結突起部６１５ｃが形成された場合、移送管路８１、８２は、連結突起部６１５ｃに接触することができ、この場合、第１の突起部６１５ａと第２の突起部６１５ｂとの摩耗が遅延され得る。
【０１６５】
リブ６１５は、ガスケット６０を成形するとき、ガスケット６０と同様の材質で一体に形成することができる。
【０１６６】
一方、図７及び図１０〜図１２に示すように、本発明の第１実施形態に係る洗濯機の収容部６１０は、ガスケット６０の外周面６１の一部が外側に突出された隆起部６１ｄの一側（後方側）に形成されることもできる。隆起部６１ｄは、外径部６１ｃのうち、前方側に形成されて、外径部６１ｃの後方側に収容部６１０が形成され得る。隆起部６１ｄは、ボディ前方部６０ａに位置することができる。
【０１６７】
前述したように、収容部６１０がガスケット中心より上側から最も下側に位置するポート挿入管６３ｂ、６４ｂより下側まで形成されるように、隆起部６１ｄは、ガスケット６０中心より上側から最も下側に位置するポート挿入管６３ｂ、６４ｂより下側まで左右両側に形成されることができる。
【０１６８】
収容部６１０は、ガスケットボディ６１、６２を左右に配分した第１、２の領域のうち、第１の領域に配置される第１の収容部６１０ａと、第２の領域に配置される第２の収容部６１０ｂとを備えることができる。すなわち、収容部６１０は、ガスケットボディ６１、６２の左側外周面６１に形成された第１の収容部６１０ａと、ガスケットボディ６１、６２の右側外周面に形成された第２の収容部６１０ｂとを備えることができる。この場合、少なくとも最も下側に位置するポート挿入管６３ｂ、６４ｂは、収容部６１０の対向面６１１から突出されることができ、より詳細には、第１の下部ポート挿入管６３ｂは、第１の収容部６１０ａの対向面６１１から突出されることができ、第２の下部ポート挿入管６４ｂは、第２の収容部６１０ｂの対向面６１１から突出されて形成されることができる。
【０１６９】
移送管路８１、８２の左側部８１、すなわち、第１の管路部８１は、少なくとも一部分がガスケットの外周面６１と第１のバランサ９１との間に位置し、第１の収容部６１０ａに位置することができる。移送管路８１、８２の右側部８２、すなわち、第２の管路部８２は、少なくとも一部分がガスケットの外周面６１と第２のバランサ９２との間に位置し、第２の収容部６１０ｂに位置することができる。
【０１７０】
第１の管路部８１は、少なくとも一部分が第１の収容部６１０ａの対向面６１１と第１のバランサ９１との間に位置することができる。第２の管路部８２は、少なくとも一部分が第２の収容部６１０ｂの対向面６１１と第２のバランサ９２との間に位置することができる。
【０１７１】
また、第１の収容部６１０ａと第２の収容部６１０ｂとに各々１つ以上のリブ６１５が形成され得る。また、移送管路８１、８２の左側部８１は、少なくとも一部分が第１の収容部６１０ａに形成されたリブ６１５と接触し、右側部８２は、少なくとも一部分が第２の収容部６１０ｂに形成されたリブ６１５と接触することができる。リブ６１５は、第１の収容部に形成され、第１の上部ポート挿入管６３ａと第１の下部ポート挿入管６３ｂとの間にガスケット６０の円周方向に沿って複数個が備えられ得る。リブ６１５は、第２の収容部６１０ｂに形成され、第２の上部ポート挿入管６４ａと第２の下部ポート挿入管６４ｂとの間にガスケット６０の円周方向に沿って複数個が備えられ得る。
【０１７２】
一方、隆起部６１ｄにより収容部６１０が形成される場合、前述した収容部の境界面６１２は、収容部の対向面６１１と隆起部６１ｄとを繋ぐ面である。
【０１７３】
前述したように、移送管路８１、８２の一部分が収容部に位置し得るし、移送管路８１、８２のガスケット６０側面である内側面は、一部分が対向面６１１に定着するか、第１の突起部６１５ａに接触されることができ、移送管路８１、８２の前方面の一部分は、収容部の境界面６１２に定着するか、第２の突起部６１５ｂに接触されることができる。移送管路８１、８２の後方にタブ３０が位置するので、タブの前方面３１、収容部の対向面６１１、収容部の境界面６１２間の空間に移送管路８１、８２の一部分が定着し得る。
【０１７４】
図１４〜図１６に示すように、本発明の第２実施形態に係る洗濯機は、第１実施形態に係る洗濯機とバランサ９０、分配管８００の構造に相違がある。
【０１７５】
本発明の第２実施形態に係る洗濯機は、タブ前方面３１に位置し、上下に分離されたバランサ９０を備え、ガスケットボディの外周面６１の左右側に各々配置された第１の分配管８０１と第２の分配管８０２とを備える分配管８００を備えることができる。その他の構成及び作用は、本発明の第１実施形態と同様であるか、類似するので、同一符号を使用し、それについての詳細な説明は省略する。
【０１７６】
第２実施形態に係るバランサ９０は、ガスケット６０の上側に上部バランサ９３とガスケット６０の下側に位置する下部バランサ９４とを備えることができる。
【０１７７】
第１、２の分配管８０１、８０２は、互いに分離された循環管８６１、８６２を介して各々ポンプ７０と連結される。第１、２の分配管８０１、８０２は、ポンプ７０から圧送された水を各々第１、２のノズルに供給することができる。
【０１７８】
第１、２の分配管８０１、８０２の下側には、各々第１、２の流入ポート８５１、８５２が形成され得るし、第１、２の分配管８０１、８０２は、各々上下部吐出ポート８３０、８４０を備えることができる。第１、２の分配管は、流入ポート８５１、８５２から供給された循環水を吐出ポート８３０、８４０に案内する第１、２の移送管路８１０、８２０を各々備える。
【０１７９】
第１の移送管路８１０は、第１の領域の外周面に配置され、第２の移送管路８２０は、第２の領域の外周面に配置される。第１、２の移送管路８１０、８２０の少なくとも一部は、各々第１、２の収容部６１０ａ、６１０ｂに配置されることができる。
【０１８０】
第１の分配管８０１は、ガスケット６０中心部より上側に位置する第１の上部吐出ポート８３ａと、ガスケット中心より下側に位置し、第１の流入ポート８５１より上側に位置する第１の下部吐出ポート８３ｂとを備えることができる。第２の分配管８０２は、ガスケット６０中心より上側に位置する第２の上部吐出ポート８４ａと、ガスケット６０中心より下側に位置し、第２の流入ポート８５２より上側に位置する第２の下部吐出ポート８４ｂとを備えることができる。前記吐出ポート８３ａ、８３ｂ、８４ａ、８４ｂは、第１実施形態と同様に、第１の上下部ポート挿入管６３ａ、６３ｂ及び第２の上下部ポート挿入管６４ａ、６４ｂと連結されてドラム４０内に循環水を噴射または吐出することができる。
【０１８１】
図１７及び図１８に示すように、本発明の第３実施形態に係る洗濯機は、第１実施形態と比較してガスケット６０の形状に相違点がある。その他の構成及び作用は、本発明の第１実施形態と同様であるか、類似するので、同一符号を使用し、それについての詳細な説明は省略する。
【０１８２】
第３実施形態に係る洗濯機は、ガスケット６０の外周面６１に移送管路８１、８２の少なくとも一部分が位置するように内側に入り込んだ収容部６１０を備えることができる。収容部６１０は、前記外周面６１の一部が内側に陥没されて形成されることができる。
【０１８３】
一方、収容部６１０は、移送管路８１、８２全体が定着するようにガスケット６０に分配管８０が結合されたときの第１の管路部８１の最も上側に位置する部分より上側から円周面に沿ってガスケット６０の最下側を通って第２の管路部８２の最も上側に位置する部分より上側まで形成されることができる。
【０１８４】
または、移送管路８１、８２の一部が定着するように、移送管路８１、８２の最も上側に位置する部分より上側から最下側の吐出ポート８３ｂ、８４ｂ、（または、最下側のポート挿入管６３ｂ、６４ｂ）より下側まで形成されることができ、ガスケット６００の中心を基準に左右対称に形成されることができる。
【０１８５】
本発明の第３実施形態を表す図面に示されていないが、第１実施形態と同様のリブ６１５が形成され得る。
【０１８６】
以上では、本発明の望ましい実施形態について図示し、説明したが、本発明は、上述した特定の実施形態に限定されず、特許請求の範囲で請求する本発明の要旨を逸脱することなく、当該発明の属する技術分野における通常の知識を有する者により様々な変形実施が可能であることはもちろんであり、このような変形実施等は、本発明の技術的思想や展望から個別的に理解されてはならないであろう。
【符号の説明】
【０１８７】
１０  ケーシング
３０  タブ
４０  ドラム
６０  ガスケット
６１  外周面
６１ａ  リム部
６１ｂ  内径部
６１ｃ  外径部
６１０  収容部
６１１  対向面
６１２  境界面
６１５  リブ
６２  内周面
６３、６４  ポート挿入管
６６、６７  ノズル
７０  ポンプ
８０  分配管
８１、８２  移送管路
８３、８４  吐出ポート
８５  流入ポート
８６  循環管
９０  バランサ
【図１】
2021528182.tif 000003
【図２】
2021528182.tif 000004
【図３】
2021528182.tif 000005
【図４】
2021528182.tif 000006
【図５】
2021528182.tif 000007
【図６】
2021528182.tif 000008
【図７】
2021528182.tif 000009
【図８】
2021528182.tif 000010
【図９】
2021528182.tif 000011
【図１０】
2021528182.tif 000012
【図１１】
2021528182.tif 000013
【図１２】
2021528182.tif 000014
【図１３】
2021528182.tif 000015
【図１４】
2021528182.tif 000016
【図１５】
2021528182.tif 000017
【図１６】
2021528182.tif 000018
【図１７】
2021528182.tif 000019
【図１８】
2021528182.tif 000020
【国際調査報告】
2021528182.tif 000021
2021528182.tif 000022
2021528182.tif 000023
2021528182.tif 000024